(57)【要約】【課題】加工経路の確認が容易なワイヤ放電加工機の制御装置、ワイヤ放電加工機、および加工情報の表示方法を提供する。【解決手段】ワイヤ放電加工機１０の制御装置１８であって、ワイヤ放電加工機１０がワイヤ電極１２を用いて加工対象物１４を加工するための加工プログラムと、加工プログラムに基づいてワイヤ電極１２が相対移動するときの加工経路を示す画像情報と、を対応付けて記憶する記憶部２８と、記憶部２８に記憶された加工プログラムが選択されたとき、選択された加工プログラムに対応付いた画像情報を表示する表示部３２と、を備える。【選択図】図１
2020170225.tif 000002
【特許請求の範囲】
【請求項１】
ワイヤ放電加工機がワイヤ電極を用いて加工対象物を加工するための加工プログラムと、前記加工プログラムに基づいて前記ワイヤ電極が相対移動するときの加工経路を示す画像情報と、を対応付けて記憶する記憶部と、
前記記憶部に記憶された前記加工プログラムが選択されたとき、選択された前記加工プログラムに対応付いた前記画像情報を表示する表示部と、
を備える、ワイヤ放電加工機の制御装置。
【請求項２】
請求項１に記載のワイヤ放電加工機の制御装置であって、
前記加工プログラムをオペレータが選択するための操作部をさらに備え、
前記表示部は、前記操作部により選択された前記加工プログラムに対応付いた前記画像情報を表示する、ワイヤ放電加工機の制御装置。
【請求項３】
請求項１または２に記載のワイヤ放電加工機の制御装置であって、
前記記憶部は、前記加工プログラムとプログラム番号とが対応付いて設定されたファイルを記憶し、
前記表示部は、前記ファイルが選択されたとき、選択された前記ファイルのファイル名と前記プログラム番号とのうちの少なくとも１つと、選択された前記ファイルの前記加工プログラムに対応付いた前記画像情報と、を併せて表示する、ワイヤ放電加工機の制御装置。
【請求項４】
請求項３に記載のワイヤ放電加工機の制御装置であって、
前記ファイルの内容には、前記加工プログラムに対応付いたオフセット番号が含まれ、
前記表示部は、前記ファイルが選択されたとき、前記ファイルの前記オフセット番号と、前記ファイルの前記画像情報と、を併せて表示する、ワイヤ放電加工機の制御装置。
【請求項５】
請求項３または４に記載のワイヤ放電加工機の制御装置であって、
前記記憶部は、前記ファイルと前記画像情報とをそれぞれ別のファイルとして記憶する、ワイヤ放電加工機の制御装置。
【請求項６】
請求項１〜５のいずれか１項に記載のワイヤ放電加工機の制御装置であって、
前記加工プログラムに対応付いた前記画像情報が前記記憶部に記憶されているか否かを判定する判定部と、
前記加工プログラムに対応付いた前記画像情報が前記記憶部に記憶されていないと判定された場合に、その前記加工プログラムに基づいて前記画像情報を作成して前記記憶部に記憶させる画像作成部と、
をさらに備える、ワイヤ放電加工機の制御装置。
【請求項７】
請求項６に記載のワイヤ放電加工機の制御装置であって、
前記判定部は、前記加工プログラムを前記記憶部が記憶したときに、その前記加工プログラムに対応付いた前記画像情報が前記記憶部に記憶されているか否かを判定する、ワイヤ放電加工機の制御装置。
【請求項８】
請求項１〜７のいずれか１項に記載のワイヤ放電加工機の制御装置を備える、ワイヤ放電加工機。
【請求項９】
加工プログラムに基づいてワイヤ放電加工機のワイヤ電極が相対移動するときの加工経路を示す画像情報を、前記加工プログラムに対応付けて記憶部に記憶する記憶ステップと、
前記記憶部に記憶された前記加工プログラムが選択されたとき、選択された前記加工プログラムに対応付いた前記画像情報を表示する表示ステップと、
を含む、加工情報の表示方法。
【請求項１０】
請求項９に記載の加工情報の表示方法であって、
前記表示ステップでは、前記ワイヤ放電加工機のオペレータが選択した前記加工プログラムに対応付いた前記画像情報を表示する、加工情報の表示方法。
【請求項１１】
請求項１０に記載の加工情報の表示方法であって、
前記記憶ステップでは、前記加工プログラムとプログラム番号とが対応付いて設定されたファイルを記憶し、
前記表示ステップでは、前記ファイルが選択されたときに、選択された前記ファイルのファイル名と前記プログラム番号とのうちの少なくとも１つと、選択された前記ファイルの前記加工プログラムに対応付いた前記画像情報と、を併せて表示する、加工情報の表示方法。
【請求項１２】
請求項１１に記載の加工情報の表示方法であって、
前記ファイルの内容には、前記加工プログラムに対応付いたオフセット番号が含まれ、
前記表示ステップでは、前記ファイルが選択されたときに、前記ファイルの前記オフセット番号と、前記ファイルの前記画像情報と、を併せて表示する、加工情報の表示方法。
【請求項１３】
請求項１１または１２に記載の加工情報の表示方法であって、
前記記憶ステップでは、前記ファイルと前記画像情報とをそれぞれ別のファイルとして記憶する、加工情報の表示方法。
【請求項１４】
請求項９〜１３のいずれか１項に記載の加工情報の表示方法であって、
前記加工プログラムに対応付いた前記画像情報が前記記憶部に記憶されているか否かを判定する判定ステップと、
前記加工プログラムに対応付いた前記画像情報が前記記憶部に記憶されていないと判定された場合に、その前記加工プログラムに基づいて前記画像情報を作成して前記記憶部に記憶させる画像作成ステップと、
をさらに含む、加工情報の表示方法。
【請求項１５】
請求項１４に記載の加工情報の表示方法であって、
前記判定ステップは、前記加工プログラムを前記記憶部が記憶したときに行われる、加工情報の表示方法。
【発明の詳細な説明】
【技術分野】
【０００１】
本発明は、ワイヤ放電加工機の加工プログラムの内容を確認するときの作業効率の悪化が抑制されるワイヤ放電加工機の制御装置、ワイヤ放電加工機、および加工情報の表示方法に関する。
【背景技術】
【０００２】
ワイヤ放電加工機が有するワイヤ電極は、放電加工の実行中、加工経路に沿って加工対象物に対して相対移動する。加工経路は、ワイヤ放電加工機が読み取って実行するプログラムに設定される。
【０００３】
上記のプログラムは、一般に「加工プログラム」とも呼ばれる。加工プログラムは、ワイヤ放電加工機が備えた制御装置に記憶される。ここでいう制御装置とは、例えばＣＮＣである。
【先行技術文献】
【特許文献】
【０００４】
【特許文献１】特開２００７−１８３７２４号公報
【発明の概要】
【発明が解決しようとする課題】
【０００５】
ワイヤ放電加工機を使うオペレータからすると、加工の実行前に加工経路を把握しておきたいことがある。そのような場合に、オペレータは、ワイヤ放電加工機に記憶されている加工プログラムのファイルを参照する。これにより、オペレータは、ファイルに設定されたファイル名やプログラム番号を加工の実行前に確認することができる。
【０００６】
しかしながら、ファイル名およびプログラム番号を見るだけで加工経路を把握するのはオペレータにとって容易ではない。加工プログラムを実行してみれば、例えば特許文献１に開示される技術によって加工経路を視覚的に確認することは不可能ではないが、面倒である。特に、この確認方法では、ワイヤ放電加工機が別の加工プログラムを実行中である場合に、実行中の加工を中断しなければならない。これでは、ワイヤ放電加工機の生産性に悪影響が及ぶ。
【０００７】
そこで、本発明は、加工経路の確認が容易なワイヤ放電加工機の制御装置、ワイヤ放電加工機、および加工情報の表示方法を提供することを目的とする。
【課題を解決するための手段】
【０００８】
発明の一つの態様は、ワイヤ放電加工機の制御装置であって、ワイヤ放電加工機がワイヤ電極を用いて加工対象物を加工するための加工プログラムと、前記加工プログラムに基づいて前記ワイヤ電極が相対移動するときの加工経路を示す画像情報と、を対応付けて記憶する記憶部と、前記記憶部に記憶された前記加工プログラムが選択されたとき、選択された前記加工プログラムに対応付いた前記画像情報を表示する表示部と、を備える。
【０００９】
発明のもう一つの態様は、ワイヤ放電加工機であって、上記のワイヤ放電加工機の制御装置を備える。
【００１０】
発明のもう一つの態様は、加工情報の表示方法であって、加工プログラムに基づいてワイヤ放電加工機のワイヤ電極が相対移動するときの加工経路を示す画像情報を、前記加工プログラムに対応付けて記憶部に記憶する記憶ステップと、前記記憶部に記憶された前記加工プログラムが選択されたとき、選択された前記加工プログラムに対応付いた前記画像情報を表示する表示ステップと、を含む。
【発明の効果】
【００１１】
本発明によれば、加工経路の確認が容易なワイヤ放電加工機の制御装置、ワイヤ放電加工機、および加工情報の表示方法が提供される。
【図面の簡単な説明】
【００１２】
【図１】実施の形態のワイヤ放電加工機の全体構成図である。
【図２】実施の形態の制御装置の概略構成図である。
【図３】制御装置の処理の流れの一例が示されたフローチャートである。
【発明を実施するための形態】
【００１３】
以下、本発明について好適な実施の形態を挙げ、添付の図面を参照しながら詳細に説明する。
【００１４】
［第１の実施の形態］
図１は、実施の形態のワイヤ放電加工機１０の全体構成図である。下記のＸ軸、Ｙ軸、およびＺ軸の各々の方向は、図１の通りであるとする。
【００１５】
ワイヤ放電加工機１０は、ワイヤ電極１２を備え、ワイヤ電極１２を用いた放電加工を加工対象物１４に施す工作機械である。以下、「ワイヤ放電加工機１０」を単に「加工機１０」とも記載する。また、「放電加工」を単に「加工」とも記載する。
【００１６】
加工機１０は、本体１６および制御装置１８を備える。本体１６は、加工液が貯留された槽２０と、槽２０の内側で加工液に浸漬される上記のワイヤ電極１２および支持部２２と、加工対象物１４に向けてワイヤ電極１２を供給および回収する供給系統２４および回収系統２６と、を有する。
【００１７】
支持部２２は、例えばテーブルであり、加工液中で加工対象物１４を支持する。加工液中でワイヤ電極１２と加工対象物１４との間に放電を発生させることで、加工対象物１４が加工される。また、支持部２２は、不図示のＸ軸サーボモータが回転することで、Ｘ軸方向に沿って槽２０内を移動する。同様に、支持部２２は、不図示のＹ軸サーボモータが回転することで、Ｙ軸方向に沿って槽２０内を移動する。
【００１８】
上記の加工機１０の本体１６によれば、加工対象物１４を支持した支持部２２がＸ軸方向およびＹ軸方向に沿って槽２０内を移動することにより、Ｚ軸方向に伸びたワイヤ電極１２が加工対象物１４に対して相対移動する。加工機１０は、上記の放電を発生させながらワイヤ電極１２を加工対象物１４に対して相対移動させることで、加工対象物１４を加工する。
【００１９】
図２は、実施の形態の制御装置１８の概略構成図である。
【００２０】
制御装置１８は、上記の本体１６を制御するための装置であって、それは例えばＣＮＣ（Ｃｏｍｐｕｔｅｒ  Ｎｕｍｅｒｉｃａｌ  Ｃｏｎｔｒｏｌ  Ｕｎｉｔ）である。制御装置１８は、記憶部２８と、演算部３０と、表示部３２と、操作部３４と、を備える。以下、順を追って説明する。
【００２１】
記憶部２８は、例えばメモリである。記憶部２８は、１つ以上のデータファイル（以下、単に「ファイル」）を記憶する。オペレータは、記憶部２８に記憶されるファイルに任意の名前を付けることができる。
【００２２】
記憶部２８には、加工プログラムとプログラム番号とが内容に含まれたファイル（ファイルＦ１）が１つ以上記憶される。ファイルＦ１の名前は、オペレータが任意で設定してよい。ファイルＦ１に含まれる「加工プログラム」とは、加工対象物１４を加工するときのワイヤ電極１２の相対移動の経路が設定されたプログラムである。この経路は「加工経路」とも呼ばれる。また、「プログラム番号」とは、加工プログラムに対して任意に設定できる番号である。
【００２３】
また、記憶部２８には、加工プログラムにより設定される加工経路を示す画像情報が、基となる加工プログラムに対応付いて記憶される。画像情報とは、例えば、加工経路に沿った色付きの線が描かれた、加工経路を視覚的に確認できる図面あるいは写真のことを指す。画像情報は、ファイルＦ１とは別のファイル（ファイルＦ２）として、ファイルＦ１に対応付いて記憶部２８に記憶される。なお、画像情報は、加工プログラムと同じファイルＦ１に含まれてもよい。
【００２４】
ファイルＦ１には、加工プログラムに対応付けられた数値パラメータが含まれてもよい。数値パラメータは、例えば、加工条件や、加工条件番号や、拡大率である。「加工条件」とは、放電加工を実行するときの条件のことであり、それは例えば、放電を発生させるときにワイヤ電極１２に印加する電圧の大きさや、電圧印加の休止時間に関するパラメータである。「加工条件番号」とは、加工条件に対して任意に設定できる番号である。「拡大率」とは、加工プログラムを実行するときの、加工経路の拡大（縮尺）率のことである。なお、ファイルＦ１の加工プログラムに対応する数値パラメータは、ファイルＦ１に対応付いた別のファイルに含まれてもよい。例えば、加工条件、加工条件番号、および拡大率は、画像情報とともにファイルＦ２に含まれてもよい。これにより、加工プログラムと加工条件とが別々のファイルに含まれていたとしても、ワイヤ電極１２が加工プログラムの加工経路に沿って相対移動しつつ、加工プログラムに対応する加工条件で加工を実行する。
【００２５】
ファイルＦ１には、加工プログラムに対応付けられたオフセット量とオフセット番号とが含まれてもよい。「オフセット量」とは、ワイヤ電極１２が加工経路に沿って相対移動するときの、加工経路に対するワイヤ電極１２の離間距離である。「オフセット番号」とは、オフセット量に対して任意に設定できる番号である。なお、ファイルＦ１の加工プログラムに対応するオフセット量およびオフセット番号は、加工条件と同様に、ファイルＦ１に対応付いた別のファイルに含まれてもよい。例えば、オフセット量およびオフセット番号は、画像情報とともにファイルＦ２に含まれてもよい。これにより、加工プログラムとオフセット量とが別々のファイルに含まれていたとしても、ワイヤ電極１２が加工プログラムの加工経路に沿って、加工プログラムに対応するオフセット量を保ちつつ相対移動する。
【００２６】
演算部３０は、例えば演算能力を有するプロセッサである。演算部３０は、ファイル実行部３６と、判定部３８と、画像作成部４０と、を有する。ファイル実行部３６は、記憶部２８に記憶されたファイルＦ１を読み取って実行する。また、ファイルＦ１に対応するファイルが記憶部２８に記憶されている場合、ファイル実行部３６は、ファイルＦ１に対応するファイルも適宜読み取って実行する。ファイルＦ１に対応するファイルとは、例えば、上記した加工条件やオフセット量に関するファイルである。
【００２７】
判定部３８は、加工プログラムを記憶部２８が記憶したときに、その加工プログラムに対応付いた画像情報が記憶部２８に記憶されているか否かを判定する。判定部３８は、記憶部２８が既に記憶している加工プログラムが更新されたときは、更新後の加工プログラムに対応付いた画像情報が記憶部２８に記憶されているか否かを判定してもよい。
【００２８】
画像作成部４０は、判定部３８の判定の結果に基づき、加工プログラムに対応付いた画像情報が記憶部２８に記憶されていない場合に、その加工プログラムに基づいて画像情報を作成する。画像の作成は、ファイル実行部３６が加工プログラムを実行し、その実行中の記録を収集することで行われる。画像作成部４０は、作成した画像情報を、基にした加工プログラムに対応付けて記憶部２８に記憶させる。
【００２９】
表示部３２は、例えば液晶の画面を有する画面表示装置である。表示部３２は、加工プログラムが選択されたとき、選択された加工プログラムを含んだファイルＦ１のファイル名と、選択された加工プログラムに対応するプログラム番号とを画面に表示する。このとき、表示部３２は、ファイルＦ１の加工プログラムに対応する加工条件番号およびオフセット番号を表示してもよい。
【００３０】
また、本実施の形態の表示部３２は、加工プログラムが選択されたとき、ファイルＦ１のファイル名やプログラム番号と併せて、選択された加工プログラムに対応付いた画像情報を画面に表示する。これにより、選択した加工プログラムに設定された加工経路を把握することがオペレータにとって容易となる。
【００３１】
操作部３４とは、例えばキーボードである。上記した加工プログラムの選択は、オペレータが操作部３４を使ってプログラム番号を指定することで行うことができる。また、オペレータは、ファイルＦ１を選択することで加工プログラムを選択してもよい。このとき、オペレータは、例えばファイル名を指定することでファイルＦ１を選択すればよい。その場合、表示部３２は上記と同様に、選択されたファイルＦ１のファイル名と、プログラム番号とを表示してもよい。なお、表示部３２は、選択されたファイルＦ１のファイル名と、選択されたファイルＦ１に含まれる加工プログラムに対応するプログラム番号とのうちの１つの表示を省略してもよい。
【００３２】
図３は、制御装置１８の処理の流れの一例が示されたフローチャートである。
【００３３】
以下、図３も参照しつつ、上記の制御装置１８が実行する加工情報の表示方法に関する処理の流れを説明する。なお、加工情報とは、加工機１０が実行する加工に関連した情報のことを指す。
【００３４】
記憶部２８は、例えばオペレータからの要求を受けて、オペレータに指定された加工プログラムを記憶する（ステップＳ１）。ここで、オペレータが指定する加工プログラムは、制御装置１８を使って編集された加工プログラムでもよいし、制御装置１８とは異なる装置を使って編集された加工プログラムでもよい。
【００３５】
記憶部２８が加工プログラムを記憶すると、その加工プログラムに対応付いた画像情報が記憶部２８に記憶されているか否かを判定部３８が判定する（ステップＳ２）。ここで、加工プログラムに対応付いた画像情報が既に記憶部２８に記憶されていると判定された場合（ステップＳ２：ＹＥＳ）、制御装置１８は、後述のステップＳ５を実行する。
【００３６】
判定部３８の判定の結果、画像情報が記憶部２８に記憶されていないと判定された場合（ステップＳ２：ＮＯ）は、画像作成部４０が加工プログラムに基づいて画像情報を作成する（ステップＳ３：画像作成ステップ）。本実施の形態では、上記したように、加工プログラムをファイル実行部３６が実行し、そのときの記録に基づいて画像作成部４０が画像情報を作成する。ここで、ファイル実行部３６は、オペレータの指示があるまで画像情報を作成するための加工プログラムの実行を待ってもよい。これにより、ステップＳ１で記憶した加工プログラムとは別の加工プログラムによる加工を加工機１０が実行中である場合に、実行中の加工が中断されてしまうことが防止される。
【００３７】
作成された画像情報は、基になった加工プログラムに対応付けて記憶部２８に記憶される（ステップＳ４：記憶ステップ）。ここで、記憶部２８は、上記したように、加工プログラムと画像情報とを同じファイルＦ１として記憶もよいし、加工プログラムと画像情報とをそれぞれ別のファイルＦ１、Ｆ２として記憶してもよい。本実施の形態では、後者とする。
【００３８】
ステップＳ１〜Ｓ４までを実行することで、制御装置１８の記憶部２８には、加工プログラムと、その加工プログラムに対応付いた画像情報と、が記憶される。この状態で、制御装置１８は、ステップＳ１で記憶部２８に記憶された加工プログラムが選択されたか否かを判定する（ステップＳ５）。ここで、加工プログラムは、上記したように、オペレータがプログラム番号を指定することで選択されてもよいし、ファイルＦ１のファイル名を指定することで選択されてもよい。
【００３９】
ステップＳ１で記憶部２８に記憶された加工プログラムが選択される（ステップＳ５：ＹＥＳ）と、制御装置１８の表示部３２は、選択された加工プログラムに対応付いた画像情報を画面に表示する（ステップＳ６：表示ステップ）。このとき、表示部３２は、上記したように、画像情報と併せて、ファイル名、プログラム番号、加工条件番号、あるいは、オフセット番号を画面に適宜表示してもよい。
【００４０】
以上により、オペレータは、選択した加工プログラムについて、加工経路を示す画像情報を含んだ加工情報を表示部３２で確認することができる。これにより、加工経路を視覚的に確認することができるので、オペレータが加工経路を把握することが容易になる。
【００４１】
また、ステップＳ６では、記憶部２８が事前に記憶した画像情報を表示するので、オペレータは、加工経路を把握するために実際に加工プログラムを実行する必要がない。したがって、上記の方法によれば、ある加工プログラムの加工経路を確認するために、そのとき実行中の別の加工プログラムを中断させる必要がなくなる。これにより、オペレータの作業の効率が向上する。
【００４２】
［変形例］
以上、本発明の一例として実施の形態が説明されたが、上記実施の形態に、多様な変更または改良を加えることが可能であることはもちろんである。その様な変更または改良を加えた形態も本発明の技術的範囲に含まれ得ることが、特許請求の範囲の記載から明らかである。
【００４３】
例えば、実施の形態では、加工プログラム（ファイルＦ１）の選択を、操作部３４を使用してオペレータが行った。加工機１０が複数の加工プログラムを自動的に順次実行するように設定されている場合、表示部３２には、実行中の加工プログラムの次以降に実行される加工プログラムについての加工情報が自動的に順次表示されてもよい。
【００４４】
［実施の形態から得られる発明］
上記実施の形態および変形例から把握しうる発明について、以下に記載する。
【００４５】
＜第１の発明＞
ワイヤ放電加工機（１０）の制御装置（１８）であって、ワイヤ放電加工機（１０）がワイヤ電極（１２）を用いて加工対象物（１４）を加工するための加工プログラムと、前記加工プログラムに基づいて前記ワイヤ電極（１２）が相対移動するときの加工経路を示す画像情報と、を対応付けて記憶する記憶部（２８）と、前記記憶部（２８）に記憶された前記加工プログラムが選択されたとき、選択された前記加工プログラムに対応付いた前記画像情報を表示する表示部（３２）と、を備える。
【００４６】
これにより、加工経路の確認が容易なワイヤ放電加工機（１０）の制御装置（１８）が提供される。
【００４７】
前記加工プログラムをオペレータが選択するための操作部（３４）をさらに備え、前記表示部（３２）は、前記操作部（３４）により選択された前記加工プログラムに対応付いた前記画像情報を表示してもよい。これにより、オペレータが加工プログラムを容易に選択することができる。
【００４８】
前記記憶部（２８）は、前記加工プログラムとプログラム番号とが対応付いて設定されたファイル（Ｆ１）を記憶し、前記表示部（３２）は、前記ファイル（Ｆ１）が選択されたとき、選択された前記ファイル（Ｆ１）のファイル名と前記プログラム番号とのうちの少なくとも１つと、選択された前記ファイル（Ｆ１）の前記加工プログラムに対応付いた前記画像情報と、を併せて表示してもよい。これにより、選択した加工プログラムを実行したときにどのような加工が行われるのかを把握することが、オペレータにとって容易となる。
【００４９】
前記ファイル（Ｆ１）の内容には、前記加工プログラムに対応付いたオフセット番号が含まれ、前記表示部（３２）は、前記ファイル（Ｆ１）が選択されたとき、前記ファイル（Ｆ１）の前記オフセット番号と、前記ファイル（Ｆ１）の前記画像情報と、を併せて表示してもよい。これにより、選択した加工プログラムを実行したときにどのような加工が行われるのかを把握することが、オペレータにとってより容易となる。
【００５０】
記憶部（２８）は、前記ファイル（Ｆ１）と前記画像情報とをそれぞれ別のファイル（Ｆ１、Ｆ２）として記憶してもよい。これにより、加工プログラムと画像情報とを、それぞれ別のファイル（Ｆ１、Ｆ２）として取り扱うことができる。
【００５１】
前記加工プログラムに対応付いた前記画像情報が前記記憶部（２８）に記憶されているか否かを判定する判定部（３８）と、前記加工プログラムに対応付いた前記画像情報が前記記憶部（２８）に記憶されていないと判定された場合に、その前記加工プログラムに基づいて前記画像情報を作成して前記記憶部（２８）に記憶させる画像作成部（４０）と、をさらに備えてもよい。これにより、加工プログラムに対応付いた画像情報がない場合には、画像情報を作成することができる。
【００５２】
前記判定部（３８）は、前記加工プログラムを前記記憶部（２８）が記憶したときに、その前記加工プログラムに対応付いた前記画像情報が前記記憶部（２８）に記憶されているか否かを判定してもよい。記憶部（２８）が加工プログラムを記憶したタイミングで判定することで、加工プログラムに対応付いた画像情報を、オペレータが表示部（３２）で確認しようとする前に作成しておくことができる。
【００５３】
＜第２の発明＞
ワイヤ放電加工機（１０）であって、上記のワイヤ放電加工機（１０）の制御装置（１８）を備える。
【００５４】
これにより、加工経路の確認が容易なワイヤ放電加工機（１０）が提供される。
【００５５】
＜第３の発明＞
加工情報の表示方法であって、加工プログラムに基づいてワイヤ放電加工機（１０）のワイヤ電極（１２）が相対移動するときの加工経路を示す画像情報を、前記加工プログラムに対応付けて記憶部（２８）に記憶する記憶ステップと、前記記憶部（２８）に記憶された前記加工プログラムが選択されたとき、選択された前記加工プログラムに対応付いた前記画像情報を表示する表示ステップと、を含む。
【００５６】
これにより、加工経路の確認が容易な加工情報の表示方法が提供される。
【００５７】
前記表示ステップでは、前記ワイヤ放電加工機（１０）のオペレータが選択した前記加工プログラムに対応付いた前記画像情報を表示してもよい。これにより、オペレータが加工プログラムを容易に選択することができる。
【００５８】
前記記憶ステップでは、前記加工プログラムとプログラム番号とが対応付いて設定されたファイル（Ｆ１）を記憶し、前記表示ステップでは、前記ファイル（Ｆ１）が選択されたときに、選択された前記ファイル（Ｆ１）のファイル名と前記プログラム番号とのうちの少なくとも１つと、選択された前記ファイル（Ｆ１）の前記加工プログラムに対応付いた前記画像情報と、を併せて表示してもよい。これにより、選択した加工プログラムを実行したときにどのような加工が行われるのかを把握することが、オペレータにとって容易となる。
【００５９】
前記ファイル（Ｆ１）の内容には、前記加工プログラムに対応付いたオフセット番号が含まれ、前記表示ステップでは、前記ファイル（Ｆ１）が選択されたときに、前記ファイル（Ｆ１）の前記オフセット番号と、前記ファイル（Ｆ１）の前記画像情報と、を併せて表示してもよい。これにより、選択した加工プログラムを実行したときにどのような加工が行われるのかを把握することが、オペレータにとってより容易となる。
【００６０】
前記記憶ステップでは、前記ファイル（Ｆ１）と前記画像情報とをそれぞれ別のファイル（Ｆ１、Ｆ２）として記憶してもよい。これにより、加工プログラムと画像情報とを、それぞれ別のファイル（Ｆ１、Ｆ２）として取り扱うことができる。
【００６１】
前記加工プログラムに対応付いた前記画像情報が前記記憶部（２８）に記憶されているか否かを判定する判定ステップと、前記加工プログラムに対応付いた前記画像情報が前記記憶部（２８）に記憶されていないと判定された場合に、その前記加工プログラムに基づいて前記画像情報を作成して前記記憶部（２８）に記憶させる画像作成ステップと、をさらに含んでもよい。これにより、加工プログラムに対応付いた画像情報がない場合には、画像情報を作成することができる。
【００６２】
前記判定ステップは、前記加工プログラムを前記記憶部（２８）が記憶したときに行われてもよい。記憶部（２８）が加工プログラムを記憶したタイミングで判定することで、加工プログラムに対応付いた画像情報を、表示ステップの前に作成しておくことができる。
【符号の説明】
【００６３】
１０…ワイヤ放電加工機                  １２…ワイヤ電極
１４…加工対象物                        １８…制御装置
２８…記憶部                            ３０…演算部
３２…表示部                            ３４…操作部
３８…判定部                            ４０…画像作成部
Ｆ１、Ｆ２…データファイル
【図１】
2020170225.tif 000003
【図２】
2020170225.tif 000004
【図３】
2020170225.tif 000005